(57)【要約】【課題】駆動軸用安全カバーを駆動側機器や被駆動側機器に対して確実に回り止めしてその安全性を高めることができる駆動軸用安全カバーおよび安全カバー付き駆動軸を提供する。【解決手段】駆動軸本体１１の一端側に相対回転自在に装着され、出力軸側連結部１２を覆う出力軸側カバー体２１と、駆動軸本体１１の他端側に相対回転自在に装着され、入力軸側連結部１３を覆う入力軸側カバー体２２と、一端が出力軸側カバー体２１に連結されるとともに他端が入力軸側カバー体２２に連結され、駆動軸本体１１を覆う筒状の本体部カバー体２３と、駆動側機器２に固定され、出力軸側カバー体２１に組み合わされて出力軸側カバー体２１を回転方向に係止する出力軸側カバー係止体２４と、被駆動側機器３に固定され、入力軸側カバー体２２に組み合わされて入力軸側カバー体２２を回転方向に係止する入力軸側カバー係止体２５と、を設ける。【選択図】図２
2018200088.tif 000002
【特許請求の範囲】
【請求項１】
駆動側機器に設けられた出力軸に連結される出力軸側連結部が駆動軸本体の一端に設けられ、被駆動側機器に設けられた入力軸に連結される入力軸側連結部が前記駆動軸本体の他端に設けられてなる駆動軸を覆う駆動軸用安全カバーであって、
前記駆動軸本体の一端側に該駆動軸本体に対して相対回転自在に装着され、前記出力軸側連結部を覆う出力軸側カバー体と、
前記駆動軸本体の他端側に該駆動軸本体に対して相対回転自在に装着され、前記入力軸側連結部を覆う入力軸側カバー体と、
一端が前記出力軸側カバー体に連結されるとともに他端が前記入力軸側カバー体に連結され、前記駆動軸本体を覆う筒状の本体部カバー体と、
前記駆動側機器に固定され、前記出力軸側カバー体に組み合わされて該出力軸側カバー体を回転方向に係止する出力軸側カバー係止体と、
前記被駆動側機器に固定され、前記入力軸側カバー体に組み合わされて該入力軸側カバー体を回転方向に係止する入力軸側カバー係止体と、を有することを特徴とする駆動軸用安全カバー。
【請求項２】
前記出力軸側カバー体と前記出力軸側カバー係止体とがそれぞれカップ状に形成され、前記出力軸側カバー体と前記出力軸側カバー係止体とにより前記出力軸側連結部が覆われるとともに、前記入力軸側カバー体と前記入力軸側カバー係止体とがそれぞれカップ状に形成され、前記入力軸側カバー体と前記入力軸側カバー係止体とにより前記入力軸側連結部が覆われる、請求項１に記載の駆動軸用安全カバー。
【請求項３】
前記出力軸側カバー体および前記出力軸側カバー係止体の何れか一方にスリットが設けられ、前記出力軸側カバー体および前記出力軸側カバー係止体の何れか他方に設けられた爪部が前記スリットに軸方向から差し込まれることにより、前記出力軸側カバー体が前記出力軸側カバー係止体により回転方向に係止されており、
前記入力軸側カバー体および前記入力軸側カバー係止体の何れか一方にスリットが設けられ、前記入力軸側カバー体および前記入力軸側カバー係止体の何れか他方に設けられた爪部が前記スリットに軸方向から差し込まれることにより、前記入力軸側カバー体が前記入力軸側カバー係止体により回転方向に係止されている、請求項１または２に記載の駆動軸用安全カバー。
【請求項４】
前記出力軸側カバー体および前記出力軸側カバー係止体にそれぞれフィンガー部が設けられ、これらのフィンガー部が周方向に互い違いに係合されることにより、前記出力軸側カバー体が前記出力軸側カバー係止体により回転方向に係止されており、
前記入力軸側カバー体および前記入力軸側カバー係止体にそれぞれフィンガー部が設けられ、これらのフィンガー部が周方向に互い違いに係合されることにより、前記入力軸側カバー体が前記入力軸側カバー係止体により回転方向に係止されている、請求項１または２に記載の駆動軸用安全カバー。
【請求項５】
前記駆動軸は、前記駆動軸本体と前記出力軸側連結部との間および前記駆動軸本体と前記入力軸側連結部との間にそれぞれ自在継手を有し、
前記出力軸側カバー体は前記出力軸側連結部と前記自在継手とを覆い、前記入力軸側カバー体は前記入力軸側連結部と前記自在継手とを覆う、請求項１〜４の何れか１項に記載の駆動軸用安全カバー。
【請求項６】
前記駆動軸本体は、互いに軸方向に摺動自在に嵌合される雄型軸部および雌型軸部を有し、
前記本体部カバー体は、互いに軸方向に摺動自在に嵌合される雄型カバー部および雌型カバー部を有し、
前記雄型カバー部および前記雌型カバー部は非円形の断面形状を有している、請求項１〜５の何れか１項に記載の駆動軸用安全カバー。
【請求項７】
前記駆動側機器はトラクターであり、前記被駆動側機器は前記トラクターに牽引される農業用作業機である、請求項１〜６の何れか１項に記載の駆動軸用安全カバー。
【請求項８】
請求項１〜７に記載の駆動軸用安全カバーと、
前記駆動軸用安全カバーにより覆われる前記駆動軸と、を有することを特徴とする安全カバー付き駆動軸。
【発明の詳細な説明】
【技術分野】
【０００１】
本発明は、駆動側機器に設けられた出力軸と被駆動側機器に設けられた入力軸との間に連結された駆動軸を覆う駆動軸用安全カバーおよびこれを備えた安全カバー付き駆動軸に関する。
【背景技術】
【０００２】
この種の駆動軸用安全カバーおよびこれを備えた安全カバー付き駆動軸としては、例えば、農業用ＰＴＯ（Power Take Off）シャフトとも呼ばれる農業機械用のものが知られている。農業用ＰＴＯシャフトは、農業用のトラクターと、これに連結、牽引される農業用作業機との間に設けられ、トラクターのエンジンの動力を農業用作業機に伝達するものである。
【０００３】
このような農業用ＰＴＯシャフトには、農作物等の異物がシャフトに巻き込まれるのを防止し、また、作業者に対する安全性を確保するために、駆動軸用安全カバーが装着されるのが一般的である。駆動軸用安全カバーはシャフトに対して相対回転自在に装着されるが、駆動軸用安全カバーがシャフトと共回りするのを防止するための手段が設けられるのが一般的である。
【０００４】
例えば特許文献１には、シャフトに相対回転自在に装着された駆動軸用安全カバーの両端側にそれぞれフック付きチェーンを設け、これらのフック付きチェーンの先端をトラクターおよび農業用作業機のフレームに連結することにより、これらのチェーンを介して駆動軸用安全カバーを当該フレームに保持させて、シャフトと共回りすることを防止するようにしたものが記載されている。
【先行技術文献】
【特許文献】
【０００５】
【特許文献１】特開平１０−２０３１８７号公報
【発明の概要】
【発明が解決しようとする課題】
【０００６】
しかしながら、フック付きチェーンを用いて駆動軸用安全カバーをトラクターや農業用作業機のフレームに連結する構成では、フック付きチェーンのたわみの分だけ駆動軸用安全カバーはトラクターや農業用作業機のフレームに対して回転方向に遊びを有した状態となるので、作業中に当該遊びの分だけ駆動軸用安全カバーがシャフトと共回りして、その安全性が低下するおそれがあった。
【０００７】
また、当該遊びの分だけ駆動軸用安全カバーがシャフトと共回りし、次いでチェーンの自重により駆動軸用安全カバーが逆方向に回転し、これを繰り返すことで、チェーンから異音が発生するという問題もあった。
【０００８】
本発明の目的は、このような点を解決することを課題とするものであり、その目的は、駆動軸用安全カバーを駆動側機器や被駆動側機器に対して確実に回り止めしてその安全性を高めることができる駆動軸用安全カバーおよび安全カバー付き駆動軸を提供することにある。
【課題を解決するための手段】
【０００９】
本発明の駆動軸用安全カバーは、駆動側機器に設けられた出力軸に連結される出力軸側連結部が駆動軸本体の一端に設けられ、被駆動側機器に設けられた入力軸に連結される入力軸側連結部が前記駆動軸本体の他端に設けられてなる駆動軸を覆う駆動軸用安全カバーであって、前記駆動軸本体の一端側に該駆動軸本体に対して相対回転自在に装着され、前記出力軸側連結部を覆う出力軸側カバー体と、前記駆動軸本体の他端側に該駆動軸本体に対して相対回転自在に装着され、前記入力軸側連結部を覆う入力軸側カバー体と、一端が前記出力軸側カバー体に連結されるとともに他端が前記入力軸側カバー体に連結され、前記駆動軸本体を覆う筒状の本体部カバー体と、前記駆動側機器に固定され、前記出力軸側カバー体に組み合わされて該出力軸側カバー体を回転方向に係止する出力軸側カバー係止体と、前記被駆動側機器に固定され、前記入力軸側カバー体に組み合わされて該入力軸側カバー体を回転方向に係止する入力軸側カバー係止体と、を有することを特徴とする。
【００１０】
本発明の駆動軸用安全カバーは、上記構成において、前記出力軸側カバー体と前記出力軸側カバー係止体とがそれぞれカップ状に形成され、前記出力軸側カバー体と前記出力軸側カバー係止体とにより前記出力軸側連結部が覆われるとともに、前記入力軸側カバー体と前記入力軸側カバー係止体とがそれぞれカップ状に形成され、前記入力軸側カバー体と前記入力軸側カバー係止体とにより前記入力軸側連結部が覆われる構成とされるのが好ましい。
【００１１】
本発明の駆動軸用安全カバーは、上記構成において、前記出力軸側カバー体および前記出力軸側カバー係止体の何れか一方にスリットが設けられ、前記出力軸側カバー体および前記出力軸側カバー係止体の何れか他方に設けられた爪部が前記スリットに軸方向から差し込まれることにより、前記出力軸側カバー体が前記出力軸側カバー係止体により回転方向に係止されており、前記入力軸側カバー体および前記入力軸側カバー係止体の何れか一方にスリットが設けられ、前記入力軸側カバー体および前記入力軸側カバー係止体の何れか他方に設けられた爪部が前記スリットに軸方向から差し込まれることにより、前記入力軸側カバー体が前記入力軸側カバー係止体により回転方向に係止されている構成とされるのが好ましい。
【００１２】
本発明の駆動軸用安全カバーは、上記構成において、前記出力軸側カバー体および前記出力軸側カバー係止体にそれぞれフィンガー部が設けられ、これらのフィンガー部が周方向に互い違いに係合されることにより、前記出力軸側カバー体が前記出力軸側カバー係止体により回転方向に係止されており、前記入力軸側カバー体および前記入力軸側カバー係止体にそれぞれフィンガー部が設けられ、これらのフィンガー部が周方向に互い違いに係合されることにより、前記入力軸側カバー体が前記入力軸側カバー係止体により回転方向に係止されている構成とされるのが好ましい。
【００１３】
本発明の駆動軸用安全カバーは、上記構成において、前記駆動軸は、前記駆動軸本体と前記出力軸側連結部との間および前記駆動軸本体と前記入力軸側連結部との間にそれぞれ自在継手を有し、前記出力軸側カバー体は前記出力軸側連結部と前記自在継手とを覆い、前記入力軸側カバー体は前記入力軸側連結部と前記自在継手とを覆う構成とされるのが好ましい。
【００１４】
本発明の駆動軸用安全カバーは、上記構成において、前記駆動軸本体は、互いに軸方向に摺動自在に嵌合される雄型軸部および雌型軸部を有し、前記本体部カバー体は、互いに軸方向に摺動自在に嵌合される雄型カバー部および雌型カバー部を有し、前記雄型カバー部および前記雌型カバー部は非円形の断面形状を有する構成とされるのが好ましい。
【００１５】
本発明の駆動軸用安全カバーは、上記構成において、前記駆動側機器はトラクターであり、前記被駆動側機器は前記トラクターに牽引される農業用作業機であるのが好ましい。
【００１６】
本発明の安全カバー付き駆動軸は、上記駆動軸用安全カバーと、前記駆動軸用安全カバーにより覆われる前記駆動軸と、を有することを特徴とする。
【発明の効果】
【００１７】
本発明によれば、駆動側機器に固定される出力軸側カバー係止体に出力軸側カバー体を組み合わせることで出力軸側カバー体を回転方向に係止するとともに、被駆動側機器に固定される入力軸側カバー係止体に入力軸側カバー体を組み合わせることで入力軸側カバー体を回転方向に係止することにより、駆動軸安全カバーを駆動側機器および被駆動側機器に対して確実に回り止めすることができる。したがって、駆動軸安全カバーが駆動軸と共回りすることを確実に防止して、その安全性を高めることができる。
【００１８】
また、回り止め用のフック付きチェーンを用いることなく駆動軸安全カバーを駆動側機器および被駆動側機器に対して確実に回り止めすることができるので、回り止め用のフック付きチェーンを廃止して、当該チェーンに基づく異音の発生を無くすことができる。
【図面の簡単な説明】
【００１９】
【図１】本発明の一実施の形態である安全カバー付き駆動軸であって、駆動軸が駆動側機器および被駆動側機器に連結される前の状態を示す一部切り欠き半断面図である。
【図２】（ａ）は本発明の一実施の形態である安全カバー付き駆動軸であって、駆動軸が駆動側機器および被駆動側機器に連結された状態を示す一部切り欠き半断面図であり、（ｂ）はは同図（ａ）におけるＡ−Ａ線に沿う断面図である。
【図３】図１に示す安全カバー付き駆動軸の変形例であって、駆動軸が駆動側機器および被駆動側機器に連結される前の状態を示す一部切り欠き半断面図である。
【図４】図３に示す安全カバー付き駆動軸であって、駆動軸が駆動側機器および被駆動側機器に連結された状態を示す一部切り欠き半断面図である。
【発明を実施するための形態】
【００２０】
以下、本発明の実施の形態を図面に基づいて詳細に例示説明する。
【００２１】
図１、図２に示す本発明の一実施の形態である安全カバー付き駆動軸１は、農業用ＰＴＯ（Power Take Off）シャフトとも呼ばれるものであり、農業用のトラクター（駆動側機器）２から、これに連結、牽引される農業用作業機（被駆動側機器）３に動力を伝達するものである。農業用作業機３としては、その作業に動力が必要とするものであれば、例えば耕耘機などの種々のものとすることができる。
【００２２】
安全カバー付き駆動軸１は、駆動軸（ドライブシャフト）１０と、本発明の一実施の形態である駆動軸用安全カバー２０とを有している。
【００２３】
駆動軸１０は、駆動軸本体１１と、駆動軸本体１１の一端に設けられた出力軸側連結部１２と、駆動軸本体１１の他端に設けられた入力軸側連結部１３とを有している。駆動軸本体１１と出力軸側連結部１２との間には出力軸側の自在継手（ユニバーサルジョイント）１４が設けられ、駆動軸本体１１と入力軸側連結部１３との間には入力軸側の自在継手（ユニバーサルジョイント）１５が設けられている。このように、駆動軸１０は、駆動軸本体１１の両端に自在継手１４、１５を介して出力軸側連結部１２と入力軸側連結部１３とが設けられて１つのユニットとされている。
【００２４】
駆動軸本体１１は、雄型軸部としての内側非円形チューブ１１ａと、雌型軸部としての外側非円形チューブ１１ｂとを備えた構成とすることができる。本実施の形態では、内側非円形チューブ１１ａと外側非円形チューブ１１ｂは鋼管等により非円形の断面形状のチューブ状に形成され、外側非円形チューブ１１ｂの内側に内側非円形チューブ１１ａが挿通されている。これにより、内側非円形チューブ１１ａと外側非円形チューブ１１ｂは互いに軸方向に摺動自在に嵌合（連結）され、駆動軸本体１１は軸方向に伸縮自在となっている。また、図２（ｂ）に示すように、本実施の形態においては、各非円形チューブ１１ａ、１１ｂは、その断面がレモン状の断面形状に形成されている。このように、各非円形チューブ１１ａ、１１ｂを非円形の断面形状とすることにより、非円形チューブ１１ａ、１１ｂの相互間で回転方向に動力を伝達できる。
【００２５】
なお、本実施の形態においては、各非円形チューブ１１ａ、１１ｂの断面形状をレモン状の断面形状とするようにしているが、各非円形チューブ１１ａ、１１ｂの相互間で回転動力を伝達できる非円形形状であれば、例えば多角形形状など、種々の断面形状を採用することもできる。また、雄型軸部としては内側非円形チューブ１１ａのようなチューブ状のものではなく、中実の軸を採用することもできる。
【００２６】
出力軸側連結部１２の先端には、スプラインを備えた出力軸側連結孔１２ａが設けられている。一方、農業用のトラクター２には出力軸２ａが設けられている。この出力軸２ａは、例えばトラクター２のエンジン等の駆動源により回転駆動されるものである。図２（ａ）に示すように、出力軸側連結部１２は、出力軸側連結孔１２ａに農業用のトラクター２の出力軸２ａが挿通され、ノックピン１６で固定されることにより、トラクター２の出力軸２ａに連結されて当該出力軸２ａの回転が伝達されるようになっている。
【００２７】
入力軸側連結部１３の先端には、スプラインを備えた入力軸側連結孔１３ａが設けられている。一方、農業用作業機３には入力軸３ａが設けられている。この入力軸３ａは、例えば農業用作業機３の作業用の作動機構に接続されて当該作動機構を駆動させるものである。図２（ａ）に示すように、入力軸側連結部１３は、入力軸側連結孔１３ａに農業用作業機３には入力軸３ａが挿通され、ノックピン１６で固定されることにより、農業用作業機３には入力軸３ａに連結されて当該入力軸３ａに回転を伝達するようになっている。
【００２８】
駆動軸用安全カバー２０は、上記した駆動軸１０を覆うものである。駆動軸用安全カバー２０で駆動軸１０を覆うことにより、例えば、作業中において、回転する駆動軸１０への農作物等の異物の巻き込みを防止することができるとともに、作業者に対する安全性を高めることができる。この駆動軸用安全カバー２０は、出力軸側カバー体２１、入力軸側カバー体２２、本体部カバー体２３、出力軸側カバー係止体２４および入力軸側カバー係止体２５を有している。
【００２９】
出力軸側カバー体２１は、例えば樹脂材料によりカップ状に形成され、その開口端を出力軸側連結部１２の先端側に向けた姿勢で、その小径基端部２１ａにおいて駆動軸本体１１の一端部の外周面にスライドリング２６を介して相対回転自在に装着されている。この出力軸側カバー体２１により、出力軸側の自在継手１４および出力軸側連結部１２が覆われている。
【００３０】
同様に、入力軸側カバー体２２は、例えば樹脂材料により出力軸側カバー体２１と同一形状のカップ状に形成され、その開口端を入力軸側連結部１３の先端側に向けた姿勢で、その小径基端部２２ａにおいて駆動軸本体１１の他端部の外周面にスライドリング２６を介して相対回転自在に装着されている。この入力軸側カバー体２２により、入力軸側の自在継手１５および入力軸側連結部１３が覆われている。
【００３１】
本体部カバー体２３は、雄型カバー部としての内側カバースライド部２３ａと、雌型カバー部としての外側カバースライド部２３ｂとを備えた構成とすることができる。図２（ｂ）に示すように、本実施の形態では、内側カバースライド部２３ａと外側カバースライド部２３ｂは樹脂材料等により断面矩形のチューブ状に形成され、外側カバースライド部２３ｂの内側に内側カバースライド部２３ａが挿通されている。これにより、内側カバースライド部２３ａと外側カバースライド部２３ｂは互いに軸方向に摺動自在に嵌合（連結）され、本体部カバー体２３は軸方向に伸縮自在となっている。
【００３２】
本体部カバー体２３の一端つまり内側カバースライド部２３ａの先端は出力軸側カバー体２１の小径基端部２１ａに連結、固定され、本体部カバー体２３の他端つまり外側カバースライド部２３ｂの先端は入力軸側カバー体２２の小径基端部２２ａに連結、固定されている。本体部カバー体２３の一端が出力軸側カバー体２１の小径基端部２１ａに固定され、本体部カバー体２３の他端が入力軸側カバー体２２の小径基端部２２ａに固定されるとともに、内側カバースライド部２３ａと外側カバースライド部２３ｂとが断面矩形に形成されているので、本体部カバー体２３は出力軸側カバー体２１および入力軸側カバー体２２に対して回り止めされた状態となっている。
【００３３】
なお、本実施の形態においては、内側カバースライド部２３ａおよび外側カバースライド部２３ｂは断面矩形のチューブ状に形成されているが、非円形の断面形状であれば、例えば他の多角形形状を有する断面形状など、種々の断面形状を採用することもできる。
【００３４】
本体部カバー体２３は駆動軸本体１１を覆っており、また駆動軸本体１１が軸方向に伸縮したときには、それに合わせて伸縮することができる。
【００３５】
出力軸側カバー係止体２４と入力軸側カバー係止体２５は、それぞれ出力軸側カバー体２１、入力軸側カバー体２２と組み合わされて、駆動軸１０の回転中に、駆動軸用安全カバー２０が駆動軸１０とともに回転すること、つまり駆動軸用安全カバー２０が駆動軸１０と共回りすることを防止するために設けられている。
【００３６】
出力軸側カバー係止体２４に係止可能に組み合わされるために、出力軸側カバー体２１には爪部２１ｂが設けられている。この爪部２１ｂは、出力軸側カバー体２１の開口端から小径基端部２１ａの側に向けて延びる一対の切り込み２１ｃの間に区画形成されている。爪部２１ｂは、その先端面のエッジが面取りされ、先細の形状とされている。爪部２１ｂは、例えば、周方向に間隔を空けて４つ設けるなど、複数設けることもできる。
【００３７】
一方、出力軸側カバー係止体２４は、その開口端が出力軸側カバー体２１の開口端よりも大径となるカップ状に形成されており、その平坦な底壁２４ａにおいてトラクター２に固定されている。出力軸側カバー係止体２４のトラクター２への固定は、例えばボルト等の締結手段を用いるなど、種々の手段を用いることができる。底壁２４ａの軸心には貫通孔２４ｂが設けられ、この貫通孔２４ｂに出力軸２ａが挿通されている。これにより、出力軸側カバー係止体２４は出力軸２ａと同軸となってトラクター２に固定され、その内部に出力軸２ａを収容している。
【００３８】
出力軸側カバー係止体２４には、出力軸側カバー体２１の爪部２１ｂに対応するスリット２４ｃが設けられている。出力軸側カバー体２１に複数の爪部２１ｂが設けられる場合には、このスリット２４ｃも爪部２１ｂに合わせて複数設けられる。スリット２４ｃは、周方向に沿って延び、その周方向幅は爪部２１ｂの周方向幅よりも僅かに広くされている。
【００３９】
出力軸側連結部１２がトラクター２の出力軸２ａに連結されると、図２（ａ）に示すように、出力軸側カバー係止体２４の開口端から当該出力軸側カバー係止体２４の内側に出力軸側カバー体２１が組み合わされ、出力軸側カバー体２１の爪部２１ｂが出力軸側カバー係止体２４のスリット２４ｃに軸方向から差し込まれる。このとき、爪部２１ｂは、その中間部位がスリット２４ｃの開口端付近に位置するように配置される。なお、出力軸側カバー体２１に複数の爪部２１ｂが設けられる場合には、各爪部２１ｂが対応するスリット２４ｃに差し込まれる。
【００４０】
出力軸側カバー体２１と出力軸側カバー係止体２４とが組み合わされて出力軸側カバー体２１の爪部２１ｂが出力軸側カバー係止体２４のスリット２４ｃに軸方向から差し込まれると、出力軸側カバー体２１と出力軸側カバー係止体２４とにより出力軸側連結部１２と出力軸側の自在継手１４とが覆われるとともに、出力軸側カバー体２１は、トラクター２に固定された出力軸側カバー係止体２４により回転方向に係止される。
【００４１】
また、出力軸側カバー体２１の爪部２１ｂは、その中間部位が出力軸側カバー係止体２４のスリット２４ｃの開口端付近に位置するように配置されているので、駆動軸本体１１が出力軸２ａに対して上下方向に傾動して、出力軸側カバー係止体２４に対して出力軸側カバー体２１が傾動しても、爪部２１ｂのスリット２４ｃに対する差し込み量が変化することにより爪部２１ｂのスリット２４ｃへの差し込みが維持され、出力軸側カバー体２１と出力軸側カバー係止体２４との組み合わせ状態が維持される。
【００４２】
同様に、入力軸側カバー体２２には、入力軸側カバー係止体２５に係止可能に組み合わされるために、爪部２２ｂが設けられている。この爪部２２ｂは、入力軸側カバー体２２の開口端から小径基端部２２ａの側に向けて延びる一対の切り込み２２ｃの間に区画形成されている。爪部２２ｂは、その先端面のエッジが面取りされ、先細の形状とされている。爪部２２ｂは、例えば、周方向に間隔を空けて４つ設けるなど、複数設けることもできる。
【００４３】
一方、入力軸側カバー係止体２５は、その開口端が入力軸側カバー体２２の開口端よりも大径となるカップ状に形成され、その平坦な底壁２５ａにおいて、農業用作業機３に固定されている。入力軸側カバー係止体２５の農業用作業機３への固定は、例えばボルト等の締結手段を用いるなど、種々の手段を用いることができる。底壁２５ａの軸心には貫通孔２５ｂが設けられ、この貫通孔２５ｂに入力軸３ａが挿通されている。これにより、入力軸側カバー係止体２５は入力軸３ａと同軸となって農業用作業機３に固定され、その内部に入力軸３ａを収容している。
【００４４】
入力軸側カバー係止体２５には、入力軸側カバー体２２の爪部２２ｂに対応するスリット２５ｃが設けられている。入力軸側カバー体２２に複数の爪部２２ｂが設けられる場合には、このスリット２５ｃも爪部２２ｂに合わせて複数設けられる。スリット２５ｃは、周方向に沿って延び、その周方向幅は爪部２２ｂの周方向幅よりも僅かに広くされている。
【００４５】
入力軸側連結部１３が農業用作業機３の入力軸３ａに連結されると、図２（ａ）に示すように、入力軸側カバー係止体２５の開口端から当該入力軸側カバー係止体２５の内側に入力軸側カバー体２２が組み合わされ、入力軸側カバー体２２の爪部２２ｂが入力軸側カバー係止体２５のスリット２５ｃに軸方向から差し込まれる。このとき、爪部２２ｂは、その中間部位がスリット２５ｃの開口端付近に位置するように配置される。なお、入力軸側カバー体２２に複数の爪部２２ｂが設けられる場合には、各爪部２２ｂが対応するスリット２５ｃに差し込まれる。
【００４６】
入力軸側カバー体２２と入力軸側カバー係止体２５とが組み合わされて入力軸側カバー体２２の爪部２２ｂが入力軸側カバー係止体２５のスリット２５ｃに軸方向から差し込まれると、入力軸側カバー体２２と入力軸側カバー係止体２５とにより入力軸側連結部１３と入力軸側の自在継手１５とが覆われるとともに、入力軸側カバー体２２は、農業用作業機３に固定された入力軸側カバー係止体２５により回転方向に係止される。
【００４７】
また、入力軸側カバー体２２の爪部２２ｂは、その中間部位が入力軸側カバー係止体２５のスリット２５ｃの開口端付近に位置するように配置されているので、駆動軸本体１１が入力軸３ａに対して上下方向に傾動して、入力軸側カバー係止体２５に対して入力軸側カバー体２２が傾動しても、爪部２２ｂのスリット２５ｃに対する差し込み量が変化することにより爪部２２ｂのスリット２５ｃへの差し込みが維持され、入力軸側カバー体２２と入力軸側カバー係止体２５との組み合わせ状態が維持される。
【００４８】
このように、出力軸側カバー体２１がトラクター２に固定された出力軸側カバー係止体２４により回転方向に係止され、入力軸側カバー体２２が農業用作業機３に固定された入力軸側カバー係止体２５により回転方向に係止される構成としたことにより、駆動軸用安全カバー２０をトラクター２や農業用作業機３に対して確実に回り止めして、駆動軸用安全カバー２０を回転する駆動軸１０と共回りさせることなく確実に停止状態に保持することができる。したがって、駆動軸用安全カバー２０が駆動軸１０と共回りすることを確実に防止して、駆動軸用安全カバー２０が設けられた安全カバー付き駆動軸１の安全性を高めることができる。また、駆動軸用安全カバー２０をトラクター２や農業用作業機３にチェーンで連結することなく確実に停止状態に保持することができるので、当該チェーンを廃止して、作業時にチェーンから異音が発生することを防止することができる。
【００４９】
また、出力軸側カバー体２１と入力軸側カバー体２２との簡単な形状変更および出力軸側カバー係止体２４と入力軸側カバー係止体２５の追加により、駆動軸用安全カバー２０をトラクター２や農業用作業機３に対して確実に回り止めすることができるので、この駆動軸用安全カバー２０および安全カバー付き駆動軸１のコストを低減することができる。
【００５０】
図３は図１に示す安全カバー付き駆動軸の変形例であって、駆動軸が駆動側機器および被駆動側機器に連結される前の状態を示す一部切り欠き半断面図であり、図４は図３に示す安全カバー付き駆動軸であって、駆動軸が駆動側機器および被駆動側機器に連結された状態を示す一部切り欠き半断面図である。なお、図３、図４においては、前述した部材に対応する部材には同一の符号を付し、再度の説明は省略する。
【００５１】
図３に示すように、この変形例では、出力軸側カバー係止体２４に係止可能に組み合わされるために、出力軸側カバー体２１には複数のフィンガー部２１ｄが設けられている。これらのフィンガー部２１ｄは、それぞれ出力軸側カバー体２１の外面形状に倣って僅かに曲げられた長尺の板状に形成され、互いの間に凹部Ｓ１を挟むように周方向に間隔を空けて配置されている。
【００５２】
一方、出力軸側カバー係止体２４には、出力軸側カバー体２１のフィンガー部２１ｄに対応する複数のフィンガー部２４ｄが設けられている。これらのフィンガー部２４ｄは、それぞれ出力軸側カバー係止体２４の外面形状に倣って僅かに曲げられた長尺の板状に形成され、互いの間に凹部Ｓ２を挟むように周方向に間隔を空けて配置されている。また、これらのフィンガー部２４ｄは、出力軸側カバー体２１のフィンガー部２１ｄと互い違いに係合されるように、フィンガー部２１ｄに対して周方向にずれた位置に配置されている。
【００５３】
なお、フィンガー部２１ｄの間の凹部Ｓ１の周方向幅は、フィンガー部２４ｄの周方向幅よりも僅かに大きくされ、フィンガー部２４ｄの間の凹部Ｓ２の周方向幅は、フィンガー部２１ｄの周方向幅よりも僅かに大きくされている。
【００５４】
出力軸側連結部１２がトラクター２の出力軸２ａに連結されると、図４に示すように、出力軸側カバー係止体２４の開口端から当該出力軸側カバー係止体２４の内側に出力軸側カバー体２１が組み合わされ、出力軸側カバー体２１のフィンガー部２１ｄと出力軸側カバー係止体２４のフィンガー部２４ｄとが周方向に交互に隣接して並ぶように互い違いに係合される。このとき、互いのフィンガー部２１ｄ、２４ｄは中間部位において互いに接して軸方向に所定の遊びを有した状態とされる。
【００５５】
このように、出力軸側カバー体２１と出力軸側カバー係止体２４とが組み合わされて出力軸側カバー体２１のフィンガー部２１ｄと出力軸側カバー係止体２４のフィンガー部２４ｄとが周方向に互い違いに係合することにより、出力軸側カバー体２１と出力軸側カバー係止体２４とにより出力軸側連結部１２と出力軸側の自在継手１４とが覆われるとともに、出力軸側カバー体２１はトラクター２に固定された出力軸側カバー係止体２４により回転方向に係止される。
【００５６】
この場合においても、出力軸側カバー体２１のフィンガー部２１ｄと出力軸側カバー係止体２４のフィンガー部２４ｄとが、その中間部位において互いに接して軸方向に所定の遊びを有した状態とされているので、駆動軸本体１１が出力軸２ａに対して上下方向に傾動して、出力軸側カバー係止体２４に対して出力軸側カバー体２１が傾動しても、互いのフィンガー部２１ｄ、２４ｄの係合が維持され、出力軸側カバー体２１と出力軸側カバー係止体２４との組み合わせ状態が維持される。
【００５７】
同様に、図３に示すように、入力軸側カバー係止体２５に係止可能に組み合わされるために、入力軸側カバー体２２には、複数のフィンガー部２２ｄが設けられている。これらのフィンガー部２２ｄは、それぞれ入力軸側カバー体２２の外面形状に倣って僅かに曲げられた長尺の板状に形成され、互いの間に凹部Ｓ１を挟むように周方向に間隔を空けて配置されている。
【００５８】
一方、入力軸側カバー係止体２５には、入力軸側カバー体２２のフィンガー部２２ｄに対応する複数のフィンガー部２５ｄが設けられている。これらのフィンガー部２５ｄは、それぞれ入力軸側カバー係止体２５の外面形状に倣って僅かに曲げられた長尺の板状に形成され、互いの間に凹部Ｓ２を挟むように周方向に間隔を空けて配置されている。また、これらのフィンガー部２５ｄは、入力軸側カバー体２２のフィンガー部２２ｄと互い違いに係合されるように、フィンガー部２２ｄに対して周方向にずれた位置に配置されている。
【００５９】
なお、フィンガー部２２ｄの間の凹部Ｓ１の周方向幅は、フィンガー部２５ｄの周方向幅よりも僅かに大きくされ、フィンガー部２５ｄの間の凹部Ｓ２の周方向幅は、フィンガー部２２ｄの周方向幅よりも僅かに大きくされている。
【００６０】
入力軸側連結部１３が農業用作業機３の入力軸３ａに連結されると、図４に示すように、入力軸側カバー係止体２５の開口端から当該入力軸側カバー係止体２５の内側に入力軸側カバー体２２が組み合わされ、入力軸側カバー体２２のフィンガー部２２ｄと入力軸側カバー係止体２５のフィンガー部２５ｄとが周方向に交互に隣接して並ぶように互い違いに係合される。このとき、互いのフィンガー部２２ｄ、２５ｄは中間部位において互いに接して軸方向に所定の遊びを有した状態とされる。
【００６１】
このように、入力軸側カバー体２２と入力軸側カバー係止体２５とが組み合わされて入力軸側カバー体２２のフィンガー部２２ｄと入力軸側カバー係止体２５のフィンガー部２５ｄとが周方向に互い違いに係合することにより、入力軸側カバー体２２と入力軸側カバー係止体２５とにより入力軸側連結部１３と入力軸側の自在継手１５とが覆われるとともに、入力軸側カバー体２２は農業用作業機３に固定された入力軸側カバー係止体２５により回転方向に係止される。
【００６２】
この場合においても、入力軸側カバー体２２のフィンガー部２２ｄと入力軸側カバー係止体２５のフィンガー部２５ｄとが、その中間部位において互いに接して軸方向に所定の遊びを有した状態とされているので、駆動軸本体１１が入力軸３ａに対して上下方向に傾動して、入力軸側カバー係止体２５に対して入力軸側カバー体２２が傾動しても、互いのフィンガー部２２ｄ、２５ｄの係合が維持され、入力軸側カバー体２２と入力軸側カバー係止体２５との組み合わせ状態が維持される。
【００６３】
したがって、本変形例においても、出力軸側カバー体２１がトラクター２に固定された出力軸側カバー係止体２４により回転方向に係止され、入力軸側カバー体２２が農業用作業機３に固定された入力軸側カバー係止体２５により回転方向に係止されるので、駆動軸用安全カバー２０をトラクター２や農業用作業機３に対して確実に回り止めして、駆動軸用安全カバー２０を回転する駆動軸１０と共回りさせることなく確実に停止状態に保持することができる。したがって、駆動軸用安全カバー２０が駆動軸１０と共回りすることを確実に防止して、駆動軸用安全カバー２０が設けられた安全カバー付き駆動軸１の安全性を高めることができる。また、駆動軸用安全カバー２０をトラクター２や農業用作業機３にチェーンで連結することなく確実に停止状態に保持することができるので、当該チェーンを廃止して、作業時にチェーンから異音が発生することを防止することができる。
【００６４】
また、出力軸側カバー体２１と入力軸側カバー体２２との簡単な形状変更および出力軸側カバー係止体２４と入力軸側カバー係止体２５の追加により、駆動軸用安全カバー２０をトラクター２や農業用作業機３に対して確実に回り止めすることができるので、この駆動軸用安全カバー２０および安全カバー付き駆動軸１のコストを低減することができる。
【００６５】
本発明は前記実施の形態に限定されるものではなく、その要旨を逸脱しない範囲で種々変更可能であることはいうまでもない。
【００６６】
例えば、前記実施の形態においては、駆動側機器を農業用のトラクター２とし、被駆動側機器を農業用作業機３とした場合を示しているが、これに限らず、駆動側機器や被駆動側機器は種々の機器とすることができる。例えば、被駆動側機器は各種の産業機械、産業装置、作業機等とすることができる。
【００６７】
また、前記実施の形態においては、出力軸側カバー体２１と出力軸側カバー係止体２４との組み合わせ、および入力軸側カバー体２２と入力軸側カバー係止体２５との組み合わせ構造として、爪部２１ｂ、２２ｂとスリット２４ｃ、２５ｃとの組み合わせ、およびフィンガー部２１ｄ、２２ｄとフィンガー部２４ｄ、２５ｄとの組み合わせを例示しているが、これに限らず、上記組み合わせ構造としては、出力軸側カバー体２１をトラクター２に固定された出力軸側カバー係止体２４に組み合わせることにより出力軸側カバー体２１を回転方向に係止し、入力軸側カバー体２２を農業用作業機３に固定された入力軸側カバー係止体２５に組み合わせることにより入力軸側カバー体２２を回転方向に係止することができる構造であれば、種々の構造を採用することもできる。
【００６８】
さらに、前記実施の形態においては、駆動軸本体１１は、内側および外側の非円形チューブ１１ａ、１１ｂを軸方向に摺動自在に連結した伸縮可能な構成とされているが、これに限らず、１本の軸として構成することもできる。
【００６９】
さらに、前記実施の形態においては、駆動軸１０を、駆動軸本体１１と出力軸側連結部１２との間に出力軸側の自在継手１４を有し、駆動軸本体１１と入力軸側連結部１３との間に入力軸側の自在継手１５を有する構成としているが、これに限らず、自在継手１４、１５が設けられないリジットな構成とすることもできる。また、駆動軸本体１１と出力軸側連結部１２との間および駆動軸本体１１と入力軸側連結部１３との間の何れか一方にのみ自在継手を設ける構成とすることもできる。
【００７０】
さらに、駆動軸用安全カバー２０を構成する出力軸側カバー体２１、入力軸側カバー体２２および本体部カバー体２３は、樹脂製に限らず、金属製とすることもできる。
【００７１】
さらに、出力軸側カバー係止体２４および入力軸側カバー係止体２５は、カップ状に限らず、出力軸側カバー体２１と入力軸側カバー体２２とに組み合わされて当該カバー体２１、２２を回転方向に係止することができるものであれば、種々の形状とすることができる。
【符号の説明】
【００７２】
１    安全カバー付き駆動軸
２    トラクター（駆動側機器）
２ａ  出力軸
３    農業用作業機（被駆動側機器）
３ａ  入力軸
１０    駆動軸
１１    駆動軸本体
１１ａ  内側非円形チューブ（雄型軸部）
１１ｂ  外側非円形チューブ（雌型軸部）
１２    出力軸側連結部
１２ａ    出力軸側連結孔
１３    入力軸側連結部
１３ａ    入力軸側連結孔
１４    出力軸側の自在継手
１５    入力軸側の自在継手
１６    ノックピン
２０    駆動軸用安全カバー
２１    出力軸側カバー体
２１ａ  小径基端部
２１ｂ  爪部
２１ｃ  切り込み
２１ｄ  フィンガー部
２２    入力軸側カバー体
２２ａ    小径基端部
２２ｂ  爪部
２２ｃ  切り込み
２２ｄ  フィンガー部
２３    本体部カバー体
２３ａ  内側カバースライド部（雄型カバー部）
２３ｂ  外側カバースライド部（雌型カバー部）
２４    出力軸側カバー係止体
２４ａ  底壁
２４ｂ  貫通孔
２４ｃ  スリット
２４ｄ  フィンガー部
２５    入力軸側カバー係止体
２５ａ  底壁
２５ｂ  貫通孔
２５ｃ  スリット
２５ｄ  フィンガー部
２６    スライドリング
Ｓ１    凹部
Ｓ２    凹部
【図１】
2018200088.tif 000003
【図２】
2018200088.tif 000004
【図３】
2018200088.tif 000005
【図４】
2018200088.tif 000006